(57)【要約】【課題】  誤操作により動画像が記憶されなくなるのを防止すること。【解決手段】ビデオカメラは、被写体を撮像するためのイメージセンサと、ユーザによる指示を受け付ける操作部と、静止画像を撮像するための静止画撮像ボタンが押下されること応じて、イメージセンサが出力する画像を静止画像として記憶する静止画像記憶部（Ｓ０２）と、録画開始指示が受け付けられてから動画像の記録を終了させる録画停止指示が受け付けられるまで、イメージセンサが連続して出力する複数の画像を動画像として記憶する動画像記憶部（Ｓ１２およびＳ１４）と、を備え、動画像記憶部は、録画停止指示が受け付けられると、イメージセンサが連続して出力する複数の画像を動画像として記憶を開始する（Ｓ０３）。【選択図】        図３
2010219614.tif 000002
【特許請求の範囲】
【請求項１】
被写体を撮像するための撮像手段と、
ユーザによる指示を受け付ける指示受付手段と、
前記指示受付手段により静止画像を撮像するための静止画撮像指示が受け付けられること応じて、前記撮像手段が出力する画像を静止画像として記憶する静止画像記憶手段と、
前記指示受付手段により動画像の記録を開始させるための録画開始指示が受け付けられてから動画像の記録を終了させるための録画停止指示が受け付けられるまで、前記撮像手段が連続して出力する複数の画像を動画像として記憶する動画像記憶手段と、を備え、
前記動画像記憶手段は、前記指示受付手段により前記静止画像撮像指示が受け付けられると、前記撮像手段が連続して出力する複数の画像を動画像として記憶を開始する、記録装置。
【請求項２】
前記動画像記憶手段は、前記静止画像撮像指示が受け付けられてから所定時間内に前記録画開始指示が受け付けられると、前記動画像の記憶を継続する、請求項１に記載の記録装置。
【請求項３】
前記動画像記憶手段は、前記静止画像撮像指示が受け付けられてから所定時間内に前記録画開始指示が受け付けられない場合、前記静止画像撮像指示が受け付けられてから所定時間内に記憶した前記動画像を消去する、請求項２に記載の記録装置。
【請求項４】
前記指示受付手段により前記静止画像撮像指示が受け付けられることに応じて記憶された動画像と、前記指示受付手段により前記録画開始指示が受け付けられてから記憶された動画像とを区別して表示する選択画面を表示する選択画面表示手段を、さらに備えた請求項１に記載の記録装置。
【請求項５】
ユーザによる指示を受け付ける指示受付手段と、
前記指示受付手段により映像または音声の記録を開始させるための録画開始指示が受け付けられてから記録を終了させるための録画停止指示が受け付けられるまで、外部から入力される映像または／および音声を第１の種類のコンテンツとして記憶する第１コンテンツ記憶手段と、
前記録画停止指示が受け付けられてから前記録画開始指示が受け付けられるまで、外部から入力される映像または／および音声を第２の種類のコンテンツとして記憶する第２コンテンツ記憶手段と、
記憶された前記第１の種類のコンテンツと前記第２の種類のコンテンツとを区別して表示する選択画面を表示する選択画面表示手段と、を備えた記録装置。
【請求項６】
前記指示受付手段は、指示を受け付けるボタンを有し、前記ボタンがユーザにより指示される毎に、前記録画開始指示と前記録画停止指示とのいずれか一方を交互に受け付ける、請求項５に記載の記録装置。
【請求項７】
前記録画停止指示が受け付けられてから所定の時間内に前記録画開始指示が受け付けられる場合、前記第２コンテンツ記憶手段によりそれまでに記憶された前記第２の種類のコンテンツの後に、前記録画開始指示が受け付けられることに応じて前記第１コンテンツ記録手段により記憶される前記第１の種類のコンテンツを結合する結合手段をさらに備えた、請求項５に記載の記録装置。
【発明の詳細な説明】
【技術分野】
【０００１】
この発明は、記録装置に関し、特に、ユーザの指示にしたがってコンテンツを記録する記録装置に関する。
【背景技術】
【０００２】
ビデオカメラで代表される記録装置は、ユーザが記録の開始または終了を入力することにより撮像を開始して動画像を記録する。特開２００６−３３３３２号公報には、録画開始信号に応答して録画再生部を録画開始する録画開始制御手段と、録画動作中に録画停止信号が入力されたことに応答して録画再生部の録画動作を停止するとともに映像音声情報処理部からの映像音声情報を継続して記憶回路に記憶する録画停止制御手段と、録画動作中に録画停止信号が入力された後所定時間内に録画開始信号が再び入力されたか判定する判定手段と、該判定手段が入力有りと判定した場合に記憶回路に記憶された映像音声情報を録画再生部に録画するとともに継続して録画動作を再開する録画再開制御手段とを備えていることを特徴とする録画再生装置が記載されている。
【０００３】
記録の開始および終了させる操作は、１つの録画／停止ボタンを押下する操作によるのが一般的である。すなわち、記録されていない時における録画／停止ボタンの指示は記録を開始する操作を示し、記録している時における録画／停止ボタンの指示は、記録を終了する操作が入力される。ユーザが、記録を開始させようとして録画／停止ボタンを誤って２回指示してしまう場合があり、記録が終了してしまうにもかかわらず、ユーザはそれに気づかない場合がある。従来技術においても、このユーザによる誤操作の場合には、対応することができない。
【０００４】
また、ビデオカメラは、静止画像を撮像および記録可能なものがあり、静止画像を撮像するための撮像ボタンを備えている。このビデオカメラにおいては、ユーザが動画像を撮像する際に、誤って撮像ボタンを指示してしまう場合があり、誤りに気づいたユーザが直ちに再生／停止ボタンを指示しても、静止画像の記録が終了するまで動画像の撮像および記録が開始されず、撮像の機会を失ってしまうといった問題がある。
【特許文献１】特開２００６−３３３３２号公報
【発明の概要】
【発明が解決しようとする課題】
【０００５】
この発明は上述した問題点を解決するためになされたもので、この発明の目的の１つは、誤操作により動画像が記憶されなくなるのを防止することが可能な記録装置を提供することである。
【０００６】
この発明の他の目的は、ユーザが複数の動画像のうちから必要な動画像を選択する操作を容易にした記録装置を提供することである。
【課題を解決するための手段】
【０００７】
上述した目的を達成するためにこの発明のある局面によれば、記録装置は、被写体を撮像するための撮像手段と、ユーザによる指示を受け付ける指示受付手段と、指示受付手段により静止画像を撮像するための静止画撮像指示が受け付けられること応じて、撮像手段が出力する画像を静止画像として記憶する静止画像記憶手段と、指示受付手段により動画像の記録を開始させるための録画開始指示が受け付けられてから動画像の記録を終了させるための録画停止指示が受け付けられるまで、撮像手段が連続して出力する複数の画像を動画像として記憶する動画像記憶手段と、を備え、動画像記憶手段は、指示受付手段により静止画像撮像指示が受け付けられると、撮像手段が連続して出力する複数の画像を動画像として記憶を開始する。
【０００８】
この局面に従えば、静止画撮像指示が受け付けられること応じて、静止画像が記憶されるとともに、動画像が記憶される。このため、ユーザが動画像を記憶する操作をする際に、誤って静止画像を記憶する操作をした場合であっても動画像を記憶することができる。その結果、誤操作により動画像が記憶されなくなるのを防止することが可能な記録装置を提供することができる。
【０００９】
好ましくは、動画像記憶手段は、静止画像撮像指示が受け付けられてから所定時間内に録画開始指示が受け付けられると、動画像の記憶を継続する。
【００１０】
この局面に従えば、静止画像を記憶するための操作をしてから連続した動画像を記憶することができる。
【００１１】
好ましくは、動画像記憶手段は、静止画像撮像指示が受け付けられてから所定時間内に録画開始指示が受け付けられない場合、静止画像撮像指示が受け付けられてから所定時間内に記憶した動画像を消去する。
【００１２】
この局面によれば、静止画像撮像指示が受け付けられてから所定時間内に録画開始指示が受け付けられない場合、静止画像撮像指示が受け付けられてから所定時間内に記憶された動画像が消去されるので、記憶領域を有効に利用することができる。
【００１３】
好ましくは、指示受付手段により静止画像撮像指示が受け付けられることに応じて記憶された動画像と、指示受付手段により録画開始指示が受け付けられてから記憶された動画像とを区別して表示する選択画面を表示する選択画面表示手段を、さらに備える。
【００１４】
この局面によれば、静止画像撮像指示が受け付けられることに応じて記憶された動画像と、録画開始指示が受け付けられてから記憶された動画像とが区別して表示される。このため、記録されている複数の動画像をユーザが入力した操作別に分類してユーザに知らせることができる。その結果、ユーザが複数の動画像のうちから必要な動画像を選択する操作を容易にすることができる。
【００１５】
この発明の他の局面によれば、記録装置は、ユーザによる指示を受け付ける指示受付手段と、指示受付手段により映像または音声の記録を開始させるための録画開始指示が受け付けられてから記録を終了させるための録画停止指示が受け付けられるまで、外部から入力される映像または／および音声を第１の種類のコンテンツとして記憶する第１コンテンツ記憶手段と、録画停止指示が受け付けられてから録画開始指示が受け付けられるまで、外部から入力される映像または／および音声を第２の種類のコンテンツとして記憶する第２コンテンツ記憶手段と、記憶された第１の種類のコンテンツと第２の種類のコンテンツを区別して表示する選択画面を表示する選択画面表示手段と、を備える。
【００１６】
この局面に従えば、録画開始指示が受け付けられてから記録を終了させるための録画停止指示が受け付けられるまで第１の種類のコンテンツが記憶され、録画停止指示が受け付けられてから録画開始指示が受け付けられるまで第２の種類のコンテンツが記憶される。このため、ユーザが動画像を記憶する操作をする際に、誤って録画停止指示を入力する操作をした場合であっても動画像を記憶することができる。その結果、誤操作により動画像が記憶されなくなるのを防止することが可能な記録装置を提供することができる。また、記憶された第１の種類のコンテンツと第２の種類のコンテンツとが区別して表示されるので、記憶されている複数の動画像をユーザが入力した操作別に分類してユーザに知らせることができる。その結果、ユーザが複数の動画像のうちから必要な動画像を選択する操作を容易にした記録装置を提供することができる。
【００１７】
好ましくは、指示受付手段は、指示を受け付けるボタンを有し、ボタンがユーザにより指示される毎に、録画開始指示と録画停止指示とのいずれか一方を交互に受け付ける。
【００１８】
好ましくは、録画停止指示が受け付けられてから所定の時間内に録画開始指示が受け付けられる場合、第２コンテンツ記憶手段によりそれまでに記憶された第２の種類のコンテンツの後に、録画開始指示が受け付けられることに応じて第１コンテンツ記録手段により記憶される第１の種類のコンテンツを結合する結合手段をさらに備える。
【００１９】
この局面に従えば、録画停止指示が受け付けられてから連続した動画像を記憶することができる。
【発明を実施するための形態】
【００２０】
以下、本発明の実施の形態について図面を参照して説明する。以下の説明では同一の部品には同一の符号を付してある。それらの名称および機能も同じである。したがってそれらについての詳細な説明は繰り返さない。
【００２１】
＜第１の実施の形態＞
図１は、本実施の形態の１つにおけるビデオカメラの構成の概略を示すブロック図である。図１を参照して、ビデオカメラ１０は、ビデオカメラ１０の全体を制御する中央演算装置（ＣＰＵ）１１と、ＣＰＵ１１が実行するためのプログラム等を記憶するＲＯＭ（Ｒｅａｄ  Ｏｎｌｙ  Ｍｅｍｏｒｙ）１２と、イメージセンサ１３と、マイクロホン１４と、タイミング生成部（ＴＧ）１５と、ＣＤＳ／ＡＧＣ１７と、アナログ／デジタル変換部（Ａ／Ｄ）１６，１９と、メモリ制御部２１と、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）２３と、ＬＣＤドライバ２５と、液晶表示装置（ＬＣＤ）２７と、操作部３１と、ＪＰＥＧ（Ｊｏｉｎｔ  Ｐｈｏｔｏｇｒａｐｈｉｃ  Ｅｘｐｅｒｔｓ  Ｇｒｏｕｐ）−ＣＯＤＥＣ２３と、ＭＰＥＧ（Ｍｏｖｉｎｇ  Ｐｉｃｔｕｒｅ  Ｅｘｐｅｒｔｓ  Ｇｒｏｕｐ）−ＣＯＤＥＣ３５と、大容量記憶装置としてのハードディスクドライブ（ＨＤＤ）３７と、を含む。
【００２２】
ＣＰＵ１１、メモリ制御部２１、ＪＰＥＧ‐ＣＯＤＥＣ３３およびＭＰＥＧ‐ＣＯＤＥＣ３５それぞれは、バス３９に接続されている。ＴＧ１５は、ＣＰＵ１１により制御され、イメージセンサ１３の撮像タイミングを制御する。イメージセンサ１３は、ＴＧ１５から入力されるタイミングにしたがって、レンズを介して結像する被写体像の画像を光電変換した画像データをＣＤＳ／ＡＧＣ１７に出力する。ＣＤＳ／ＡＧＣは、相関２重サンプリング回路および自動利得制御回路であり、イメージセンサ１３が出力する画像データから雑音を除去するとともに、信号増幅時の利得が入力信号レベルに対して適切な範囲になるように利得を調整し、Ａ／Ｄ１９に出力する。Ａ／Ｄ１９は、ＣＤＳ／ＡＧＣ１７から入力されるアナログ信号の画像データをデジタル信号に変換し、メモリ制御部２１に出力する。
【００２３】
また、マイクロホン１４は、音を集音し、アナログ信号の音データを、Ａ／Ｄ１６に出力する。Ａ／Ｄ１６は、マイクロホン１４から入力されるアナログ信号の音データをデジタル信号に変換し、メモリ制御部２１に出力する。
【００２４】
メモリ制御部２１は、Ａ／Ｄ１９から入力される画像データをＳＤＲＡＭ２３の表示画像エリアに格納し、Ａ／Ｄ１６から入力される音データをＳＤＲＡＭの音エリアに格納する。ＬＣＤドライバ２５は、ＳＤＲＡＭ２３の表示画像エリアに格納されたデジタル信号の画像データを、Ｒ（赤）Ｇ（緑）Ｂ（青）のアナログ信号の画像データに変換し、ＬＣＤ２７に出力する。これにより、ＬＣＤ２７に画像が表示される。
【００２５】
操作部３１は、ユーザにより操作される静止画撮像ボタン４１と、録画開始／停止ボタン４３とを含む。操作部３１は、静止画撮像ボタン４１が押下されると、静止画撮像ボタン４１が押下されたことを示す信号をＣＰＵ１１に出力し、録画開始／停止ボタン４３が押下されると、静止画撮像ボタン４１が押下されたことを示す信号をＣＰＵ１１に出力する。
【００２６】
ＪＰＥＧ−ＣＯＤＥＣ３３は、ＣＰＵ１１により制御され、ＳＤＲＡＭ２３に格納されたデジタル信号の画像データを圧縮符合化し、ＪＰＥＧフォーマットの符号化データに変換し、また、ＪＰＥＧフォーマットの符号化データを復号し、デジタル信号の画像データに変換する。
【００２７】
ＭＰＥＧ−ＣＯＤＥＣ３５は、ＣＰＵ１１により制御され、ＳＤＲＡＭ２３に時系列に格納される複数フレームのデジタル信号の画像データと音データとを圧縮符号化し、ＭＰＥＧフォーマットの符号化データに変換し、また、ＭＰＥＧフォーマットの符号化データを復号し、デジタル信号の画像データと音データとに変換する。ＪＰＥＧ−ＣＯＤＥＣ３３が、１フレームの画像を符号化または復号するのに対して、ＭＰＥＧ−ＣＯＤＥＣ３５は、複数フレームの画像からなる動画像と音データを符号化または復号する。
【００２８】
なお、ここでは、大容量記憶装置としてＨＤＤ３７を備える例を説明したが、ＨＤＤ３７に代えて、内蔵のフラッシュメモリであってもよいし、着脱可能な光ディスク（ＣＤ−ＲＯＭ（Ｃｏｍｐａｃｔ  Ｄｉｓｃ−Ｒｅａｄ  Ｏｎｌｙ  Ｍｅｍｏｒｙ）／ＭＯ（Ｍａｇｎｅｔｉｃ  Ｏｐｔｉｃａｌ  Ｄｉｓｃ／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード（メモリカードを含む）、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  ＥＰＲＯＭ）などを用いてもよい。
【００２９】
図２は、ＣＰＵの機能の概要をＨＤＤに記憶される画像とともに示す機能ブロック図である。図２を参照して、ＣＰＵ１１は、ユーザによる指示を受け付ける指示受付部１０１と、静止画像を記憶する静止画像記憶部１０３と、動画像を記憶する動画像記憶部１０５とを含む。
【００３０】
指示受付部１０１は、操作部３１が出力する静止画撮像ボタン４１が押下されたことを示す信号、録画開始／停止ボタン４３が押下されたことを示す信号を受け付ける。指示受付部１０１は、静止画撮像ボタン４１が押下されたことを示す信号を受け付けると、静止画像記憶指示を静止画像記憶部１０３および動画像記憶部１０５に出力する。または、指示受付部１０１は、録画開始／停止ボタン４３が押下されたことを示す信号を受け付けると、動画像記憶部１０５に録画開始指示または録画停止指示のいずれかを出力する。録画開始／停止ボタン４３が押下されたことを示す信号が入力される順番が奇数の場合に録画開始指示を出力し、偶数の場合に録画停止指示を出力する。すなわち、録画開始／停止ボタン４３がユーザにより押下される毎に、録画開始指示と録画停止指示とのいずれか一方を交互に出力する。
【００３１】
静止画像記憶部１０３は、指示受付部１０１から静止画像記憶指示が入力されると、ＪＰＥＧ‐ＣＯＤＥＣ３３を制御してＳＤＲＡＭ２３に記憶された画像データを符号化させ、メモリ制御部２１を制御してＪＰＥＧ‐ＣＯＤＥＣ３３により圧縮符号化された静止画像の符号化データをＨＤＤ３７に記憶させる。これにより、ＨＤＤ３７に静止画像１２１が記憶される。
【００３２】
動画像記憶部１０５は、指示受付部１０１から録画開始指示が入力されると、録画開始指示が入力されてから録画停止指示が入力されるまでの間、ＭＰＥＧ‐ＣＯＤＥＣ３５を制御してＳＤＲＡＭ２３に記憶された複数フレームの画像データと音データとを符号化させ、メモリ制御部２１を制御してＭＰＥＧ‐ＣＯＤＥＣ３５により圧縮符号化された動画像および音の符号化データをＨＤＤ３７に記憶させる。これにより、ＨＤＤ３７に動画像１２３が記憶される。
【００３３】
また、動画像記憶部１０５は、指示受付部１０１から静止画像記憶指示が入力されると、ＭＰＥＧ‐ＣＯＤＥＣ３５を制御してＳＤＲＡＭ２３に記憶された複数フレームの画像データと音データとを符号化させ、メモリ制御部２１を制御してＭＰＥＧ‐ＣＯＤＥＣ３５により圧縮符号化された動画像および音の符号化データをＨＤＤ３７に記憶させる。これによりＨＤＤ３７に動画像１２３が記憶される。動画像記憶部１０５は、指示受付部１０１から静止画像記憶指示が入力される場合、静止画像記憶指示が入力されてから所定時間内に録画開始指示が入力される場合には、次に録画停止指示が入力されるまでの間、ＭＰＥＧ‐ＣＯＤＥＣ３５により圧縮符号化された動画像の符号化データをＨＤＤ３７に記憶させる。
【００３４】
一方、動画像記憶部１０５は、指示受付部１０１から静止画像記憶指示が入力されてから所定時間内に録画開始指示が入力されない場合には、静止画像記憶指示が入力されてから所定時間経過した後に、それまでＭＰＥＧ‐ＣＯＤＥＣ３５により圧縮符号化されてＨＤＤ３７に記憶された動画像の符号化データを削除する。
【００３５】
所定時間は、数秒〜数十秒であればよい。ユーザが、動画像を録画するために録画開始／停止ボタン４３を押下すべきところを誤って静止画撮像ボタン４１を押下した場合、所定時間内に録画開始／停止ボタン４３を押下すれば、静止画撮像ボタン４１を押下した時からの動画像がＨＤＤ３７に記憶される。このため、ユーザによる誤操作により失われた撮像機会において撮像された動画像を記憶することができる。
【００３６】
また、ユーザが静止画撮像ボタン４１を押下すれば、静止画像ボタン４１が押下されてから撮像された動画像がＨＤＤ３７に記憶されるが、静止画撮像ボタン４１を押下してから所定時間内に録画開始／停止ボタン４３がユーザにより押下されなければ、それまでに記憶された動画像がＨＤＤ３７から削除される。このため、ユーザが誤操作ではなく、静止画像を撮像するために静止画撮像ボタン４１を押下した場合には、動画像が記憶されないので、ＨＤＤ３７の記憶容量を有効に利用することができる。
【００３７】
図３は、撮像処理の流れの一例を示すフローチャートである。撮像処理は、ＣＰＵ１１がＲＯＭ１２に記憶された撮像プログラムを実行することによりＣＰＵ１１により実行される。図３を参照して、ＣＰＵ１１は、静止画撮像指示を受け付けたか否かを判断する（ステップＳ０１）。静止画撮像指示を受け付けたならば処理をステップＳ０２に進めるが、そうでなければ処理をステップＳ１１に進める。
【００３８】
ステップＳ１１においては、録画開始指示を受け付けたか否かを判断する。録画開始指示を受け付けたならば処理をステップＳ１２に進めるが、そうでなければ処理をステップＳ０１に戻す。すなわち、撮像処理は、ユーザが静止画撮像ボタン４１または録画開始／停止ボタン４３のいずれかを押下することを条件に実行される処理である。
【００３９】
ステップＳ０２においては、ＪＰＥＧ‐ＣＯＤＥＣ３３およびメモリ制御部２１を制御して、静止画像をＨＤＤ３７に記憶させる。次のステップＳ０３においては、ＭＰＥＧ‐ＣＯＤＥＣ３５およびメモリ制御部２１を制御して、動画像のＨＤＤ３７への記憶を開始させる。なお、ステップＳ０２においける静止画像の記憶が完了した後に動画像の記憶を開始させる必要はなく、静止画像の記憶と動画像の記憶とを並列で実行する。
【００４０】
次のステップＳ０４においては、ステップＳ０１において静止画撮像指示を受け付けてから所定時間が経過したか否かを判断する。所定時間経過したと判断するならば処理をステップＳ０５に進めるが、そうでなければ処理をステップＳ０７に進める。ステップＳ０７においては、録画開始指示を受け付けたか否かを判断する。録画開始指示を受け付けたならば処理をステップＳ０８に進めるが、そうでなければ処理をステップＳ０４に戻す。換言すれば、静止画撮像ボタン４１が押下されてから所定時間が経過する前に録画開始／停止ボタン４３が押下されると処理をステップＳ０８に進めるが、静止画撮像ボタン４１が押下されてから録画開始／停止ボタン４３が押下されることなく所定時間が経過すると処理をステップＳ０５に進める。
【００４１】
ステップＳ０５においては、ステップＳ０３において記憶を開始した動画像の記憶を終了させる。そして、ＨＤＤ３７にそれまでに記憶された動画像を削除し（ステップＳ０６）、処理を終了する。
【００４２】
一方、ステップＳ０８においては、ステップＳ０３において記憶を開始した動画像の記録を継続する。そして、録画停止指示を受け付けたか否かを判断する（ステップＳ０９）。録画停止指示を受け付けるまで待機状態となり（ステップＳ０９でＮＯ）、録画停止指示を受け付けたならば（ステップＳ０９でＹＥＳ）、処理をステップＳ１０に進める。ステップＳ１０においては、ステップＳ０３において記憶を開始した動画像の記憶を終了させ、処理を終了する。
【００４３】
一方、ステップＳ１２においては、ＭＰＥＧ‐ＣＯＤＥＣ３５およびメモリ制御部２１を制御して、動画像のＨＤＤ３７への記憶を開始させる。次のステップＳ１３においては、録画停止指示を受け付けたか否かを判断する。録画停止指示を受け付けるまで待機状態となり（ステップＳ１３でＮＯ）、録画停止指示を受け付けたならば（ステップＳ１３でＹＥＳ）、処理をステップＳ１４に進める。ステップＳ１４においては、ステップＳ１２において記憶を開始した動画像の記憶を終了させ、処理を終了する。
【００４４】
以上説明したように第１の実施の形態におけるビデオカメラ１０は、静止画撮像ボタン４１がユーザにより押下されると、静止画像１２１をＨＤＤ３７に記憶するとともに、動画像１２３が記憶される。このため、ユーザが動画像を記憶するために録画開始／停止ボタン４３を押下しなければならないところを、誤って静止画撮像ボタン４１を押下した場合であっても、動画像１２３が記憶される。その結果、誤操作により動画像が記憶されなくなるのを防止することができる。
【００４５】
また、静止画撮像ボタン４１がユーザにより押下されてから所定時間内に録画開始／停止ボタン４３が押下されると、動画像１２３の記憶を継続する。このため、ユーザが静止画撮像ボタン４１を押下してから連続した動画像１２３を記憶することができる。
【００４６】
また、静止画撮像ボタン４１が押下されてから所定時間内に録画開始／停止ボタン４３が押下されない場合、静止画撮像ボタン４１が押下されてから記憶された動画像１２３を消去する。このため、ＨＤＤ３７の記憶領域を有効に利用することができる。
【００４７】
＜第２の実施の形態＞
次に、第２の実施の形態におけるビデオカメラについて説明する。第２の実施の形態におけるビデオカメラの構成は、図１に示した第１の実施の形態におけるビデオカメラの構成と同じである。したがってここでは説明を繰り返さない。
【００４８】
図４は、第２の実施の形態おけるビデオカメラが備えるＣＰＵが有する機能の概要を示す機能ブロック図である。図４を参照して、図２に示した機能ブロック図と異なる点は、動画像記憶部１０５が動画像記憶部１０５Ａに変更された点、および編集部１０７が追加された点である。その他の構成は第１の実施の形態におけるビデオカメラ１０が備えるＣＰＵ１１と同じなのでここでは説明を繰り返さない。
【００４９】
図４を参照して、第２の実施の形態におけるビデオカメラ１０が備えるＣＰＵ１１Ａは、指示受付部１０１と、動画像記憶部１０５Ａと、編集部１０７とを備える。動画像記憶部１０５Ａは、第１動画像記憶部１１１と、第２動画像記憶部１１３と、結合部１１５とを含む。
【００５０】
第１動画像記憶部１１１は、指示受付部１０１から録画開始指示が入力されると、録画開始指示が入力されてから録画停止指示が入力されるまでの間、ＭＰＥＧ‐ＣＯＤＥＣ３５を制御してＳＤＲＡＭ２３に記憶された複数フレームの画像データおよび音データを符号化させ、メモリ制御部２１を制御してＭＰＥＧ‐ＣＯＤＥＣ３５により圧縮符号化された動画像および音の符号化データをＨＤＤ３７に記憶させる。これにより、ＨＤＤ３７に第１動画像（第１の種類のコンテンツ）１３１が記憶される。
【００５１】
第２動画像記憶部１１３は、指示受付部１０１から録画停止指示が入力されると、録画停止指示が入力されてから録画開始指示が入力されるまでの間、ＭＰＥＧ‐ＣＯＤＥＣ３５を制御してＳＤＲＡＭ２３に記憶された複数フレームの画像データおよび音データを符号化させ、メモリ制御部２１を制御してＭＰＥＧ‐ＣＯＤＥＣ３５により圧縮符号化された動画像と音の符号化データをＨＤＤ３１７に記憶させる。これにより、ＨＤＤ３７に第２動画像（第２の種類のコンテンツ）１３３が記憶される。
【００５２】
結合部１１５は、指示受付部１０１から録画停止指示が入力されてから所定の時間内に録画開始指示が入力される場合、第２動画像記憶部１１３によりＨＤＤ３７にそれまでに記憶された第２動画像の後に、録画開始指示が受け付けられることに応じて第１動画像記憶部１１１により記憶される第１動画像を結合する。結合部１１５は、第１動画像と第２動画像とを結合した動画像を第１動画像１３１としてＨＤＤ３７に記憶する。
【００５３】
編集部１０７は、選択画面表示部１１７を含む。選択画面表示部１１７は、ユーザが、操作部３１が有する編集ボタンを押下すると、編集指示を受け付ける。選択画面表示部１１７は、編集指示を受け付けると、ＨＤＤ３７に記憶された第１動画像１３１と第２動画像１３３とを区別して表示する選択画面をＬＣＤ２７に表示する。例えば、第１動画像１３１の最初のフレームを縮小したサムネイルと、第２動画像１３３の最初のフレームを縮小したサムネイルとを表示形態を異ならせてＬＣＤ２７に表示する。より具体的には、第２動画像１３３のサムネイルを囲う矩形の印を表示する。これにより、選択画面表示を見るユーザは、第１動画像１３１と第２動画像１３３とを区別することができる。
【００５４】
図５は、選択画面の一例を示す図である。図５を参照して、選択画面２００は、３つの第１動画像１３１それぞれのサムネイル１３１Ａ、１３１Ｂ、１３１Ｃと、３つの第２動画像１３３それぞれのサムネイル１３３Ａ、１３３Ｂ、１３３Ｃと、サムネイル１３３Ａ、１３３Ｂ、１３３Ｃそれぞれを囲う印１４１と、を含む。サムネイル１３３Ａ、１３３Ｂ、１３３Ｃそれぞれは、印１４１が付されるので、ユーザは、サムネイル１３３Ａ、１３３Ｂ、１３３Ｃそれぞれに対応する動画像が、第２動画像として記憶されたことを知ることができる。
【００５５】
編集部１０７は、ユーザが操作部３１に入力する指示にしたがって、ＨＤＤ３７に記憶された第１動画像１３１および第２動画像１３３を編集する。編集は、例えば、削除、複数の動画像の結合を含む。このため、ユーザは、第１動画像１３１と第２動画像１３３のうちから必要なものを残し、不要なものを削除することができる。また、必要に応じて、第１動画像１３１と第２動画像１３３のうちの複数を結合して、１つにまとめることができる。
【００５６】
１つの録画開始／停止ボタン４３で録画の開始と終了とを指示するため、誤って録画開始／停止ボタン４３を押下する場合があり、この場合にはユーザが録画していると思っていても、実際には録画されておらず、逆に、ユーザが録画していないと思っていても実際には録画されている場合がある。第２の実施の形態におけるビデオカメラ１０は、第２動画像１３３をＨＤＤ３７に記憶するようにしたので、ユーザが録画のための操作として、録画開始／停止ボタンを１回押下する操作をしたと思っていても、実際には２回押下する操作がされた場合であっても、その時からの動画像と音が第２動画像１３３としてＨＤＤ３７に記憶される。このため、ユーザによる誤操作により、動画像と音が記憶されなくなるのを防止することができる。また、後にＨＤＤ３７に記憶された第１動画像１３１と第２動画像１３３と編集することができるので、第１動画像１３１と第２動画像１３３のうちから必要なもののみを残すことができる。
【００５７】
図６は、撮像処理の流れの一例を示す第２のフローチャートである。撮像処理は、第２の実施の形態におけるビデオカメラ１０が備えるＣＰＵ１１が撮像プログラムを実行することにより、ＣＰＵ１１により実行される処理である。図６を参照して、ＣＰＵ１１は、電源が投入されたか否かを判断する（ステップＳ２１）。電源が投入されるまで待機状態となり（ステップＳ２１でＮＯ）、電源が投入されると（ステップＳ２１でＹＥＳ）、処理をステップＳ２２に進める。ステップＳ２２においては、第２動画像の記憶を開始する。具体的には、ＭＰＥＧ‐ＣＯＤＥＣ３５およびメモリ制御部２１を制御して、第２動画像のＨＤＤ３７への記憶を開始させる。
【００５８】
次のステップＳ２３においては、録画開始指示を受け付けたか否かを判断する。録画開始指示を受け付けるまで待機状態となり（ステップＳ２３でＮＯ）、録画開始指示を受け付けたならば処理をステップＳ２４に進める。ステップＳ２４においては、ステップＳ２２において開始した第２動画像の記憶を終了する。具体的には、ＭＰＥＧ‐ＣＯＤＥＣ３５およびメモリ制御部２１を制御して、第２動画像のＨＤＤ３７への記憶を終了させ、第２動画像のファイルをクローズする。
【００５９】
次に、第１動画像の記憶を開始する（ステップＳ２５）。具体的には、ＭＰＥＧ‐ＣＯＤＥＣ３５およびメモリ制御部２１を制御して、第１動画像のＨＤＤ３７への記憶を開始させる。そして、録画停止指示を受け付けたか否かを判断する（ステップＳ２６）。録画停止指示を受け付けるまで待機状態となり（ステップＳ２６でＮＯ）、録画停止指示を受け付けたならば（ステップＳ２６でＹＥＳ）、処理をステップＳ２７に進める。
【００６０】
ステップＳ２７においては、ステップＳ２６において開始した第１動画像の記憶を終了する。具体的には、ＭＰＥＧ‐ＣＯＤＥＣ３５およびメモリ制御部２１を制御して、第１動画像のＨＤＤ３７への記憶を終了させ、第１動画像のファイルをクローズする。次に、第２動画像の記憶を開始する（ステップＳ２８）。具体的には、ＭＰＥＧ‐ＣＯＤＥＣ３５およびメモリ制御部２１を制御して、第２動画像のＨＤＤ３７への記憶を開始させる。
【００６１】
次のステップＳ２９においては、ＨＤＤ３７への記憶を終了した第１動画像の最後のフレームを静止画像としてＬＣＤ２７に表示する。さらに、直前に記憶された第２動画像の最初のフレームを、ＬＣＤ２７に表示されている第１動画像の最後のフレームに重畳表示する。具体的には、直前に記憶された第２動画像、ここではステップＳ２４においてＨＤＤ３７に記憶された第２動画像の最初のフレームを縮小したサムネイルを生成し、ＨＤＤ３７への記憶を終了した第１動画像の最後のフレームに、生成されたサムネイルを重畳した静止画像を生成し、その生成された静止画像をＬＣＤ２７に表示する。
【００６２】
本実施の形態におけるビデオカメラ１０において、録画開始／停止ボタン４３は、ユーザにより押下されると、録画開始指示と録画停止指示とを互い違いに受け付けるので、ユーザはビデオカメラ１０が実際には録画中にもかかわらず停止中であると勘違いをして録画開始／停止ボタンを押下する場合がある。この場合、ＨＤＤ３７への記憶を終了した第１動画像の最後のフレームに、直前にＨＤＤ３７に記憶された第２動画像の最初のフレームのサムネイルを重畳した静止画像をＬＣＤ２７に表示することによって、録画停止指示がビデオカメラ１０に入力されたことを通知することができる。
【００６３】
また、単に、ＨＤＤ３７への記憶を終了した第１動画像の最後のフレームを静止画像としてＬＣＤ２７に表示するのでなく、第１動画像の最後のフレームにＨＤＤ３７に直前に記憶された第２動画像の最初のフレームのサムネイルを重畳した静止画像をＬＣＤ２７に表示するので、動画撮像中に静止画撮像ボタン４１が押下される場合にＬＣＤ２７に表示される静止画像と異ならせることができる。このため、ビデオカメラ１０に録画停止指示が入力されたことをユーザに通知することができる。
【００６４】
これにより、ビデオカメラ１０が実際には録画中にもかかわらず停止中であると勘違いをしているユーザに、録画開始／停止ボタン４３を押下した時点で、ビデオカメラ１０が実際には録画停止中であることを認識させることができる。ビデオカメラ１０が実際には録画中にもかかわらず停止中であると勘違いをしているユーザは、過ちに早期に気付くことができ、不要ファイルを削除するなどの手当てを早期にすることができる。
【００６５】
ステップＳ３１においては、ステップＳ２６において録画停止指示を受け付けてから所定時間が経過したか否かを判断する。録画停止指示を受け付けてから所定時間が経過したならば（ステップＳ３１でＹＥＳ）、処理をステップＳ３９に進め、所定時間が経過していなければ処理をステップＳ３２に進める。ステップＳ３２においては、録画開始指示を受け付けたか否かを判断する。録画開始指示を受け付けたならば処理をステップＳ３３に進めるが、そうでなければ処理をステップＳ３１に戻す。すなわち、録画停止指示を受け付けてから所定時間が経過する前に録画開始指示を受け付ける場合は、処理をステップＳ３３に進め、録画停止指示を受け付けてから録画開始指示を受け付けることなく所定時間が経過すると、処理をステップＳ３９に進める。ステップＳ３９においては、ステップＳ２９およびステップＳ３０においてＬＣＤ２７に表示された静止画像およびサムネイルの表示を終了し、処理をステップＳ４０に進める。すなわち、第１動画像の最後のフレームにＨＤＤ３７に直前に記憶された第２動画像の最初のフレームのサムネイルを重畳した静止画像が表示されてから、所定時間経過する前に録画開始指示が受け付けられなければ、静止画像が所定時間表示される。ステップＳ４０においては、電源がＯＦＦになったか否かを判断する。電源がＯＦＦになれば処理を終了するが、そうでなければ処理をステップＳ２３に戻す。
【００６６】
一方、ステップＳ３３においては、第２動画像の記憶を終了する。具体的には、ＭＰＥＧ‐ＣＯＤＥＣ３５およびメモリ制御部２１を制御して、第２動画像のＨＤＤ３７への記憶を終了させ、第２動画像のファイルをクローズする。そして、第１動画像の記憶を開始する（ステップＳ３４）。そして、録画停止指示を受け付けたか否かを判断する（ステップＳ３５）。録画停止指示を受け付けるまで待機状態となり（ステップＳ３５でＮＯ）、録画停止指示を受け付けたならば（ステップＳ３５でＹＥＳ）、処理をステップＳ３６に進める。
【００６７】
ステップＳ３６においては、ステップＳ３４において開始した第１動画像の記憶を終了する。具体的には、ＭＰＥＧ‐ＣＯＤＥＣ３５およびメモリ制御部２１を制御して、第１動画像のＨＤＤ３７への記憶を終了させ、第１動画像のファイルをクローズする。次に、第２動画像の記憶を開始し（ステップＳ３７）、処理をステップＳ３８に進める。ステップＳ３８においては、直前に記憶された第２動画像、ここでは、ステップＳ３３において記憶が終了した第２動画像と、ステップＳ３６において記憶が終了した第１動画像とを結合し、処理をステップＳ３９に進める。第２動画像の後に第１動画像を結合した新たな動画像は、第１動画像としてＨＤＤ３７に記憶される。
【００６８】
図７は、編集処理の流れの一例を示すフローチャートである。編集処理は、第２の実施の形態におけるビデオカメラ１０が備えるＣＰＵ１１が編集プログラムを実行することにより、ＣＰＵ１１により実行される処理である。図７を参照して、ＣＰＵ１１は、選択画面をＬＣＤ２７に表示する（ステップＳ４１）。選択画面は、図５に示したように、第１動画像１３１と第２動画像１３３とを区別して、それらのサムネイルを表示する。次のステップＳ４２においては、選択画面に表示されたサムネイルの選択を受け付けたか否かを判断する。サムネイルの選択を受け付けるまで待機状態となり、サムネイルの選択を受け付けたならば処理をステップＳ４３に進める。ステップＳ４３においては、編集コマンドを受け付けたか否かを判断する。編集コマンドを受け付けたならば処理をステップＳ４４に進めるが、そうでなければ処理をステップＳ４２に戻す。すなわち、複数のサムネイルのうちから複数を選択することが可能であり、選択されたサムネイルに対応する第１動画像１３１または第２動画像１３３が編集の対象に選択される。
【００６９】
ステップＳ４４においては、ステップＳ４３において受け付けられた編集コマンドにしたがって、ステップＳ４２において選択されたサムネイルに対応する第１動画像１３１または第２動画像１３３を編集する。編集は、第１動画像１３１または第２動画像１３３の削除または複数の動画像の結合を含む。ステップＳ４５においては、終了コマンドを受け付けたか否かを判断する。終了コマンドを受け付けたならば処理を終了するが、そうでなければ処理をステップＳ４２に戻す。
【００７０】
以上説明したように、第２の実施の形態におけるビデオカメラ１０においては、ユーザにより録画開始／停止ボタン４３が押下されて録画開始指示が入力されてから次に録画開始／停止ボタン４３が押下されて録画停止指示が入力されるまで第１動画像が記憶され、その第１動画像の記録が終了させるための録画停止指示が入力されてから次に録画開始／停止ボタン４３が押下されて録画開始指示が入力されるまで第２動画像が記憶される。このため、ユーザが動画像の録画開始指示を入力するための操作をしなければならならないところ、誤って録画停止指示を入力する操作をした場合であっても第２動画像が記憶される。その結果、誤操作により動画像が記憶されなくなるのを防止することができる。
【００７１】
また、電源が投入されると第２動画像の記憶を開始するため、電源が投入されてから録画開始／停止ボタン４３が押下されて録画開始指示を受け付けるまでの時間に存在する可能性がある撮像チャンスを逃すことがない。さらに、ユーザが電源ボタンを押下して電源が投入された後、録画開始／停止ボタン４３を押下し損ない、録画開始指示が入力されていないことに気付かなかった場合や、録画開始／停止ボタン４３を押下したつもりが誤って静止画撮像ボタン４１を押下してしまい、録画開始指示が入力されない場合であっても、第２動画像が記憶されるので、撮像データを残しておくことができる。
【００７２】
また、記憶された第１動画像１３１および第２動画像１３３それぞれのサムネイルを表示する選択画面により、第１動画像１３１と第２動画像１３３とが区別して表示される。このため、第１動画像１３１と第２動画像１３３とをユーザが入力した操作別に分類してユーザに知らせることができる。その結果、ユーザが複数の動画像のうちから必要な動画像を選択する操作を容易にすることができる。
【００７３】
さらに、ユーザが録画開始／停止ボタン４３を押下して録画停止指示を入力してから所定の時間内に録画開始／停止ボタン４３を押下し、録画開始指示が入力される場合、それまでに記憶された第２動画像１３３の後に、それから次に録画開始／停止ボタン４３がユーザにより押下されるまでに記憶される第１動画像１３１を結合する。このため、ユーザが誤って、録画停止指示を入力する操作をしてから連続した動画像を記憶することができる。
【００７４】
なお、録画終了指示が入力されてから所定時間内に録画開始指示が入力される場合に、それまで記憶された第２動画像をそれから記憶される第１動画像と結合しないようにすることができる。第２動画像を第１動画像と結合するか、または結合することなく第２動画像として記憶するかを、ユーザにより入力された設定によって決定するようにしてもよい。
【００７５】
また、第１の実施の形態において、静止画撮像ボタン４１が押下されてから録画開始／停止ボタン４３が押下されるまでに記憶される動画像を、第２の実施の形態におけるビデオカメラ１０における第２動画像１３３として記憶するようにしてもよい。この場合には、静止画撮像ボタン４１が押下されてから録画開始／停止ボタン４３が押下されるまでに記憶される第２動画像１３３と、第１動画像１３１とが区別して選択画面に表示される。このため、記録されている複数の第１動画像１３１および第２動画像１３３をユーザが入力した操作別に分類してユーザに知らせることができる。その結果、ユーザが複数の動画像のうちから必要な動画像を選択する操作を容易にすることができる。
【００７６】
また、第１の実施の形態においては、動画像記憶部１０５は、指示受付部１０１から静止画像記憶指示が入力され、静止画像記憶指示が入力されてから所定時間内に録画開始指示が入力される場合には、次に録画停止指示が入力されるまでの間、ＭＰＥＧ‐ＣＯＤＥＣ３５により圧縮符号化された動画像の符号化データをＨＤＤ３１７に記憶させるようにした。静止画像記憶指示が入力されてから所定時間内に録画開始指示が入力される場合に、第２動画像として記憶するか、または、静止画像記憶指示が入力されてから所定時間内に録画開始指示が入力され、次に録画停止指示が入力されるまでの間の第１動画像として記憶するかは、ユーザが予めビデオカメラに入力する設定によって決定するようにすればよい。
【００７７】
なお、上述した実施の形態においては記録装置の一例として、映像と音声との組み合わせを記憶するビデオカメラ１０を説明したが、音声などのコンテンツを記録する装置、例えばボイスレコーダーであってもよい。
【００７８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７９】
【図１】本実施の形態の１つにおけるビデオカメラの構成の概略を示すブロック図である。
【図２】ＣＰＵの機能の概要をＨＤＤに記憶される画像とともに示す機能ブロック図である。
【図３】撮像処理の流れの一例を示すフローチャートである。
【図４】第２の実施の形態おけるビデオカメラが備えるＣＰＵが有する機能の概要を示す機能ブロック図である。
【図５】選択画面の一例を示す図である。
【図６】撮像処理の流れの一例を示す第２のフローチャートである。
【図７】編集処理の流れの一例を示すフローチャートである。
【符号の説明】
【００８０】
１０  ビデオカメラ、１１  ＣＰＵ、１２  ＲＯＭ、１３  イメージセンサ、１４  マイクロホン、１５  ＴＧ、１７  ＣＤＳ／ＡＧＣ、１９  Ａ／Ｄ、２１  メモリ制御部、２３  ＳＤＲＡＭ、２５  ＬＣＤドライバ、２７  ＬＣＤ、３１  操作部、３９  バス、４１  静止画撮像ボタン、４３  録画開始／停止ボタン、１０１  指示受付部、１０３  静止画像記憶部、１０５，１０５Ａ  動画像記憶部、１０７  編集部、１１１  第１動画像記憶部、１１３  第２動画像記憶部、１１５  結合部、１１７  選択画面表示部、１２１  静止画像、１２３  動画像、１３１  第１動画像、１３３  第２動画像。
【図１】
2010219614.tif 000003
【図２】
2010219614.tif 000004
【図３】
2010219614.tif 000005
【図４】
2010219614.tif 000006
【図５】
2010219614.tif 000007
【図６】
2010219614.tif 000008
【図７】
2010219614.tif 000009